(57)【要約】【課題】  所定形状のマークを表示可能であって厚さ方向の体格が小さいドアミラーユニットを提供する。【解決手段】  ドアミラーユニット３０は、所定形状のマークを表示するためにガラス板４１およびＬＥＤ４６を備えている。ミラー３１を構成するガラス板４１は、裏面４３の一部を、所定形状をかたどるようにショットブラストにより粗面化して形成された表示形成部４４を有している。ＬＥＤ４６は、ガラス板４１の特定端面４２に対向するように設けられている。ＬＥＤ４６が発する光の一部は、ガラス板４１の表示形成部４４により反射されて外部へ出る。このとき、ガラス板４１の表示形成部４４は所定形状に光る。したがって、ミラー３１とＬＥＤ４６と電子回路基板４７とが厚さ方向に重なっておらず、光源を含む複数の部材がミラーの裏側に設けられる形態と比べると厚さ方向の体格を小さくすることができる。【選択図】図３
2014234019.tif 000002
【特許請求の範囲】
【請求項１】
ドアミラー装置（１０）に用いられ、所定形状のマークを表示可能なドアミラーユニット（３０、５０）であって、
透明な板材から構成され、裏面（４３）の一部を、前記所定形状をかたどるように粗面化して形成された表示形成部（４４）を有する透明基板（４１）と、
前記透明基板の表面（３９）または前記裏面に設けられている鏡面形成膜（４５、５１）と、
前記透明基板の端面（４２）に対向するように設けられている光源（４６）と、
を備え、
前記光源が発する光の一部は、前記透明基板の前記端面から当該透明基板内に入射して前記表示形成部により反射されたのち、前記透明基板の表面から出射し、
前記透明基板の前記表示形成部は、前記光源が発する光を反射するとき前記所定形状に光ることを特徴とするドアミラーユニット。
【請求項２】
前記光源を実装している電子回路基板（４７）をさらに備え、
前記電子回路基板は、前記光源に対して前記透明基板の前記端面とは反対側に設けられていることを特徴とする請求項１に記載のドアミラーユニット。
【請求項３】
前記透明基板を保持している第１保持部（４８）と、当該第１保持部と同一の部材から構成され前記光源を保持している第２保持部（４９）と、を有するミラーホルダ（３２）をさらに備えることを特徴とする請求項１または２に記載のドアミラーユニット。
【請求項４】
前記光源は、前記透明基板の前記表面側から見たとき前記ミラーホルダの前記第２保持部の背後に隠れていることを特徴とする請求項３に記載のドアミラーユニット。
【請求項５】
前記鏡面形成膜は、前記透明基板の前記裏面に設けられていることを特徴とする請求項１〜４のいずれか一項に記載のドアミラーユニット（３０）。
【請求項６】
前記鏡面形成膜は、前記透明基板の前記表面に設けられ、前記透明基板の前記表示形成部が反射した光を透過させる光透過部（５４）を有し、
前記透明基板の前記裏面に設けられている反射膜（５３）をさらに備えることを特徴とする請求項１〜４のいずれか一項に記載のドアミラーユニット（５０）。
【発明の詳細な説明】
【技術分野】
【０００１】
本発明は、ドアミラー装置に用いられるドアミラーユニットに関する。
【背景技術】
【０００２】
従来、運転者に警告を発するために、ミラーの裏側に設けられた光源によりミラーに警告マークを表示させるドアミラーユニットが知られている。
特許文献１に開示されたドアミラーユニットは、ガラス板およびその裏面に設けられている蒸着膜からなるミラーと、ミラーに向けられている光源と、ミラーと光源との間に設けられている光拡散部材とを備える。蒸着膜のうち光源に対応する箇所には、警告マークの形に抜かれた光透過部が形成されている。光源から発せられる光は、光拡散部材と蒸着膜の光透過部とガラス板とを通過して外部へ出る。
【０００３】
特許文献２に開示されたドアミラーユニットは、ガラス板およびその表面に設けられている蒸着膜からなるミラーと、ミラーとは反対側に向けられている光源と、光源に対してミラーとは反対側に設けられているリフレクタとを備える。蒸着膜のうち光源に対応する箇所には、警告マークの形の光透過部が形成されている。光源から発せられる光は、リフレクタにより反射され、ガラス板と蒸着膜の光透過部とを通過して外部へ出る。
【先行技術文献】
【特許文献】
【０００４】
【特許文献１】特開２０１２−１９２８７９号公報
【特許文献２】国際公開第００／２５０６４号
【発明の概要】
【発明が解決しようとする課題】
【０００５】
ところで、特許文献１、２のドアミラーユニットでは、光源およびそれが装着された電子回路基板等の複数の部材がミラーの厚さ方向へ重なるように設けられている。具体的には、特許文献１では、ミラー、光拡散部材、光源および電子回路基板がミラーの厚さ方向へ重なるように設けられており、また特許文献２では、ミラー、光源、電子回路基板およびリフレクタがミラーの厚さ方向へ重なるように設けられている。そのため、従来のものは、厚さ方向の体格が大きいという問題があった。
本発明は、上述の点に鑑みてなされたものであり、その目的は、所定形状のマークを表示可能であって厚さ方向の体格が小さいドアミラーユニットを提供することである。
【課題を解決するための手段】
【０００６】
請求項１に記載の発明は、ドアミラー装置に用いられ、所定形状のマークを表示可能なドアミラーユニットであって、透明な板材から構成されている透明基板と、透明基板の表面または裏面に設けられている鏡面形成膜と、透明基板の端面に対向するように設けられている光源とを備えている。透明基板は、裏面の一部を、所定形状をかたどるように粗面化して形成された表示形成部を有している。光源が発する光の一部は、透明基板の端面から当該透明基板内に入射して表示形成部により反射されたのち、透明基板の表面から出射する。透明基板の表示形成部は、光源が発する光を反射するとき所定形状に光る。
【０００７】
請求項１に記載の発明によれば、透明基板および鏡面形成膜からなるミラーと光源とが厚さ方向に重なっておらず、光源を含む複数の部材がミラーの裏側で厚さ方向に重ねられる形態と比べると、厚さ方向の体格を小さくすることができる。厚さ方向の体格が小さいドアミラーユニットは、当該ドアミラーユニットの裏側のスペースに余裕を生み出すことができ、例えば鏡面角度調整機構および電動格納機構などの配置自由度が高まるという点で有利である。
また、光源が発する光を導くための導光手段として、ミラーを構成する透明基板を利用しているので、導光手段を別途設ける必要がない。そのため、部品点数を削減することができる。
【０００８】
請求項２に記載の発明は、電子回路基板を備えている。電子回路基板は、光源を実装しており、光源に対して透明基板の端面とは反対側に設けられている。
したがって、ミラーと電子回路基板とが厚さ方向に重ならないので、厚さ方向の体格を小さくすることができる。
【０００９】
請求項３に記載の発明は、ミラーホルダを備えている。ミラーホルダは、透明基板を保持している第１保持部と、光源を保持している第２保持部とを有する。第２保持部は、第１保持部と同一の部材から構成されている。
したがって、部品点数を減らし、組立てを容易にすることができる。
【００１０】
請求項４に記載の発明では、光源は、透明基板の表面側から見たときミラーホルダの第２保持部の背後に隠れている。
したがって、光源の存在を外部から隠すことができる。
【００１１】
請求項５に記載の発明では、鏡面形成膜は、透明基板の裏面に設けられている。
したがって、鏡面形成膜が透明基板により保護されるので、鏡面形成膜に傷が生じ難い。
【００１２】
請求項６に記載の発明では、鏡面形成膜は、透明基板の表面に設けられ、透明基板の表示形成部が反射した光を透過させる光透過部を有する。また、透明基板の裏面には、反射膜が設けられている。
したがって、透明基板が鏡面形成膜と反射膜とに挟まれているので、透明基板内における光の反射効率を高めることができる。そのため、ミラーにマークをより鮮明に表示させることができる。
【図面の簡単な説明】
【００１３】
【図１】本発明の第１実施形態によるドアミラーユニットが適用されたドアミラー装置を示す図である。
【図２】図１のＩＩ−ＩＩ線断面図である。
【図３】図１のＩＩＩ−ＩＩＩ線断面図である。
【図４】図１のミラーに三角形のマークが表示されたところを示す図である。
【図５】本発明の第２実施形態によるドアミラーユニットの断面図である。
【図６】本発明の他の実施形態によるドアミラーユニットのガラス板の表示形成部の形状を示す図である。
【発明を実施するための形態】
【００１４】
以下、本発明の複数の実施形態を図面に基づき説明する。実施形態同士で実質的に同一の構成には同一の符号を付して説明を省略する。
（第１実施形態）
本発明の第１実施形態によるドアミラーユニットが適用されたドアミラー装置を図１に示す。図１に示すドアミラー装置１０は、車両の右側のドア９０に装備されるものである。車両の左側のドアに装備されるドアミラー装置と図１に示すドアミラー装置１０とは、左右対称である他は構成が同じである。
【００１５】
先ず、ドアミラー装置１０を図１および図２に基づき説明する。ドアミラー装置１０は、車両のドア９０に固定されているベース１１と、ドアミラーユニット３０を含むミラーアセンブリ１２と、ベース１１とミラーアセンブリ１２との間に設けられている電動格納機構１３とを備えている。
【００１６】
電動格納機構１３は、ベース１１に固定されているシャフト１４と、ミラーアセンブリ１２に固定されているケース１５と、ケース１５内に設けられている回転駆動手段とを備えている。上記回転駆動手段は、例えばモータおよび減速機から構成され、ケース１５をシャフト１４まわりに回転可能である。電動格納機構１３は、ケース１５をシャフト１４まわりに回転させることにより、ミラーアセンブリ１２を使用位置と格納位置とに移動させることができる。図１のミラーアセンブリ１２は使用位置に位置している。
【００１７】
ミラーアセンブリ１２は、使用位置に位置するとき車両後方に向けて開口するカップ状のミラーハウジング１６と、ミラーハウジング１６の内壁にねじ１７により固定されているブラケット１８と、ブラケット１８に取り付けられている鏡面角度調整機構１９と、鏡面角度調整機構１９に支持されているドアミラーユニット３０とを備えている。電動格納機構１３のケース１５は、ブラケット１８に固定されている。
【００１８】
ドアミラーユニット３０は、ミラーハウジング１６の開口部の内側に設けられており、ミラー３１および当該ミラー３１を保持しているミラーホルダ３２等を備えている。なお、ドアミラーユニット３０の詳細な構成は後述する。
【００１９】
鏡面角度調整機構１９は、ブラケット１８に固定されているケース２１と、ミラーホルダ３２を支持しているピボット２２と、ミラーホルダ３２に接近および離間可能な第１出力ロッド２３および第２出力ロッド２４と、ケース２１内に設けられている駆動手段とを備えている。上記駆動手段は、例えばモータおよび減速機から構成され、第１出力ロッド２３および第２出力ロッド２４を軸方向へ往復移動可能である。鏡面角度調整機構１９は、第１出力ロッド２３を軸方向へ移動させることにより、ミラーホルダ３２をピボット２２の先端を通る垂直軸まわりに回転させることができる。また、鏡面角度調整機構１９は、第２出力ロッド２４を軸方向へ移動させることにより、ミラーホルダ３２をピボット２２の先端を通る水平軸まわりに回転させることができる。
【００２０】
次に、ドアミラーユニット３０の詳細な構成を図１〜図４に基づき説明する。ドアミラーユニット３０は、ガラス板４１、鏡面形成膜４５、ＬＥＤ４６、電子回路基板４７およびミラーホルダ３２を備えている。
【００２１】
図２に示すように、ガラス板４１は、ミラーハウジング１６の開口部に配置されている。図１に示すように、本実施形態では、ガラス板４１は、ミラーアセンブリ１２が使用位置に位置している状態で車両後方から見たとき右上の角がおとされた矩形状となるように形成されている。以下、ガラス板４１の端面のうち右上の角部を特定端面４２と記載する。
【００２２】
図３に示すように、ガラス板４１は、裏面４３の一部を、所定形状をかたどるようにショットブラストにより粗面化して形成された表示形成部４４を有している。図１に示すように、本実施形態では、表示形成部４４は、特定端面４２付近に位置し、三角形に形成されている。ガラス板４１は、特許請求の範囲に記載の「透明基板」に相当する。
【００２３】
図３に示すように、鏡面形成膜４５は、ガラス板４１の裏面４３に蒸着された蒸着膜であり、ガラス板４１と共にミラー３１を構成している。本実施形態では、ガラス板４１の特定端面４２がマスキングされた状態で蒸着が施されることにより、鏡面形成膜４５が特定端面４２に形成されることを防止している。
【００２４】
ＬＥＤ４６は、ガラス板４１の特定端面４２に対向するように設けられ、電子回路基板４７に実装されており、両端子間が通電されると発光する。ＬＥＤ４６は、特許請求の範囲に記載の「光源」に相当する。
【００２５】
ミラーホルダ３２は、ミラー３１を保持している第１保持部４８と、ＬＥＤ４６および電子回路基板４７を保持している第２保持部４９とを有している。ミラーホルダ３２の第１保持部４８と第２保持部４９とは同一の部材から構成されている。ミラーホルダ３２の第１保持部４８は、ミラー３１の裏側を覆いつつガラス板４１の表面３９の周縁部に係止されている。ミラーホルダ３２の第２保持部４９は、ＬＥＤ４６および電子回路基板４７を収容している。ＬＥＤ４６は、ガラス板４１の表面３９側から見たとき第２保持部４９の背後に隠れている。ミラーホルダ３２の第２保持部４９は、ＬＥＤ４６のカバーとして機能する。
【００２６】
このように構成されたドアミラーユニット３０では、ＬＥＤ４６が発光すると、その光の一部は、ガラス板４１の特定端面４２から当該ガラス板４１内に入射して表示形成部４４により反射されたのち、ガラス板４１の表面３９から出射する。このとき、ガラス板４１は導光部材として機能し、また鏡面形成膜４５は、ガラス板４１内における光の反射効率を高めるための反射膜として機能する。ガラス板４１の表示形成部４４は、ＬＥＤ４６が発する光を反射するとき三角形に光る。このようにしてドアミラーユニット３０は、図４に示すようにミラー３１に三角形のマークを表示可能である。本実施形態では、上記三角形のマークは、自車の隣接車線の後方から接近する車両の存在を運転者に知らせるための警告マークとして利用されている。
【００２７】
以上説明したように、第１実施形態によるドアミラーユニット３０は、三角形のマークを表示するためにガラス板４１およびＬＥＤ４６を備えている。ガラス板４１は、裏面４３の一部を、三角形をかたどるようにショットブラストにより粗面化して形成された表示形成部４４を有している。ＬＥＤ４６は、ガラス板４１の特定端面４２に対向するように設けられている。ＬＥＤ４６が発する光の一部は、ガラス板４１の表示形成部４４により反射されて外部へ出る。このとき、ガラス板４１の表示形成部４４は三角形に光る。
【００２８】
したがって、第１実施形態によれば、ミラー３１とＬＥＤ４６と電子回路基板４７とが厚さ方向に重なっておらず、光源を含む複数の部材がミラーの裏側で厚さ方向に重ねられる形態と比べると、厚さ方向の体格を小さくすることができる。厚さ方向の体格が小さいドアミラーユニット３０は、当該ドアミラーユニット３０の裏側のスペースに余裕を生み出すことができ、鏡面角度調整機構１９および電動格納機構１３などの配置自由度が高まるという点で有利である。
【００２９】
また、第１実施形態では、ＬＥＤ４６および電子回路基板４７を保持するミラーホルダ３２の第２保持部４９は、ミラー３１を保持するミラーホルダ３２の第１保持部４８と同一の部材から構成されている。そのため部品点数を減らし、組立てを容易にすることができる。
【００３０】
また、第１実施形態では、ＬＥＤ４６は、ガラス板４１の表面３９側から見たときミラーホルダ３２の第２保持部４９の背後に隠れている。そのため、ＬＥＤ４６の存在を外部から隠すことができる。
【００３１】
（第２実施形態）
本発明の第２実施形態によるドアミラーユニットを図４に基づき説明する。ドアミラーユニット５０は、第１実施形態における鏡面形成膜４５に代えて鏡面形成膜５１を備え、さらに反射膜５３を備えている。
【００３２】
鏡面形成膜５１は、ガラス板４１の表面３９に蒸着された蒸着膜であり、ガラス板４１と共にミラー５２を構成している。鏡面形成膜５１は、ガラス板４１の表示形成部４４が反射した光を透過させる光透過部５４を有している。反射膜５３は、ガラス板４１の裏面４３に蒸着された蒸着膜である。
【００３３】
このように構成されたドアミラーユニット５０では、ＬＥＤ４６が発光すると、その光の一部は、ガラス板４１の特定端面４２から当該ガラス板４１内に入射して表示形成部４４により反射されたのち、ガラス板４１の表面３９から出射し、鏡面形成膜５１の光透過部５４を通過して外部へ出る。ガラス板４１の表示形成部４４は、ＬＥＤ４６が発する光を反射するとき三角形に光る。このようにしてドアミラーユニット３０は三角形のマークを表示可能である。
【００３４】
第２実施形態によれば、第１実施形態と同様に、ミラー５２とＬＥＤ４６と電子回路基板４７とが厚さ方向に重なっていないので、厚さ方向の体格を小さくすることができる。
また、第２実施形態では、ガラス板４１が鏡面形成膜５１と反射膜５３とに挟まれているので、ガラス板４１内における光の反射効率を高めることができる。そのため、ミラー３１にマークをより鮮明に表示させることができる。
【００３５】
（他の実施形態）
本発明の他の実施形態では、ガラス板の表示形成部の形状は、三角形に限らず、他の形状であってもよい。例えば、図５に示すようなＩＳＯ規格の側方車両検知シンボルであってもよい。
本発明の他の実施形態では、ガラス板の表示形成部は、自車の隣接車線の後方から接近する車両の存在を運転者に知らせるための警告マークに限らず、他の用途のマークであってもよい。
本発明の他の実施形態では、ガラス板の表示形成部は、ショットブラストに限らず、他の方法により形成されてもよい。要するに、ガラス板の裏面が粗面化されればよい。
本発明の他の実施形態では、ガラス板の表示形成部は、線刻または点刻により構成されてもよい。
【００３６】
本発明の他の実施形態では、ガラス板の形状は、矩形状に限らず、楕円形状または円形状等の他の形状であってもよい。
本発明の他の実施形態では、ガラス板に代えて、例えば透明な樹脂製の板材などが設けられてもよい。
本発明の他の実施形態では、ミラーは、所定の透過率を持たせたハーフミラーから構成されてもよい。
本発明の他の実施形態では、鏡面形成膜は、蒸着に限らず、例えば塗装、鍍金などにより形成されてもよい。
本発明の他の実施形態では、鏡面形成膜は、単層であってもよいし、多層であってもよい。
本発明の他の実施形態では、鏡面形成膜が有する光透過部は、所定の透過率を持たせたハーフミラーから構成されてもよい。
【００３７】
本発明の他の実施形態では、ガラス板に鏡面形成膜が形成されたあと、ガラス板の端面の一部を磨くことにより特定端面を形成してもよい。
本発明の他の実施形態では、光源は、ガラス板の周囲のどの位置に設けられてもよい。
本発明の他の実施形態では、光源は、１つに限らず、複数設けられてもよい。光源が複数設けられる場合、各光源はガラス板の表示形成部に向けられると好適である。
本発明の他の実施形態では、光源は、ＬＥＤに限らず、例えば電球、ＥＬ素子などから構成されてもよい。
本発明の他の実施形態では、電子回路基板は、必ずしも設けられなくてもよい。また電子回路基板は、リジットタイプであってもよいし、フレキシブルタイプであってもよい。
本発明は、上述した実施形態に限定されるものではなく、発明の趣旨を逸脱しない範囲で種々の形態で実施可能である。
【符号の説明】
【００３８】
１０・・・ドアミラー装置
３０、５０・・・ドアミラーユニット
３９・・・表面
４１・・・ガラス板（透明基板）
４２・・・特定端面（端面）
４３・・・裏面
４４・・・表示形成部
４５、５１・・・・鏡面形成膜
４６・・・ＬＥＤ（光源）
【図１】
2014234019.tif 000003
【図２】
2014234019.tif 000004
【図３】
2014234019.tif 000005
【図４】
2014234019.tif 000006
【図５】
2014234019.tif 000007
【図６】
2014234019.tif 000008